(57)【要約】この釣竿は、例えば、先側端部内周面に嵌合雌部２ａを有する元上竿２と、元上竿２の穂先側に連結された先細りの筒状体であり、竿元側端部外周面に他の部分より一段大径化しており且つ嵌合雌部２ａのテーパに整合するテーパ面となっている嵌合雄部３ａを有する中竿３とを備える。元上竿２の穂先側外周面には、穂先側端縁より嵌合雌部２ａの領域を超えない範囲において、穂先側ほど外径が小径化する面取り部分１０が形成される。また、元上竿２の穂先側外周面には、穂先側端縁より少なくとも嵌合雌部２ａの領域を超えて竿元側に至るまでの領域に塗布され、且つ面取り部分１０の竿元側の領域においては軸方向において外径が変化しないように塗布されている塗膜層１５が形成される。そして、中竿３の嵌合雄部３ａは、元上竿２の穂先側に中竿３が延びている状態にあっても元上竿２の内部に完全に収納されている。
2004112474.tif 000002
【特許請求の範囲】
【請求項１】
複数の竿体を連結してなる釣竿であって、
先細りの筒状体であり、穂先側端部内周面に嵌合雌部を有する第１竿体と、
前記第１竿体の穂先側に連結された先細りの筒状体であり、竿元側端部外周面に他の部分より一段大径化しており且つ前記嵌合雌部のテーパに整合するテーパ面となっている嵌合雄部を有する第２竿体とを備え、
前記第１竿体の穂先側外周面には、穂先側端縁より前記嵌合雌部の領域を超えない範囲において、穂先側ほど外径が小径化する面取りテーパが施されており、
前記第１竿体の穂先側外周面には、穂先側端縁より少なくとも前記嵌合雌部の領域を超えて竿元側に至るまでの領域に塗布され、且つ前記面取りテーパ部分の竿元側の領域においては軸方向において外径が変化しないように塗布されている塗膜層が形成されており、
前記第２竿体の嵌合雄部は、前記第１竿体の穂先側に前記第２竿体が延びている状態にあっても前記第１竿体の内部に完全に収納されている、釣竿。
【請求項２】
前記第１竿体の穂先側端部の面取りテーパの軸方向の傾斜角は軸方向に対して４５度以下である、請求項１に記載の釣竿。
【請求項３】
前記穂先側端部に面取りテーパが施された第１竿体の穂先側端縁の厚さは、面取りテーパ部分の竿元側端部の厚さの１／２である、請求項１に記載の釣竿。
【請求項４】
前記第２竿体の嵌合雄部は周方向に強化繊維が配向された繊維強化樹脂から形成されている、請求項１に記載の釣竿。
【請求項５】
前記第２竿体が前記第１竿体の穂先側に延びている状態において、前記第２竿体の嵌合雄部の穂先側端縁と前記第１竿体の穂先側端縁との距離が０〜５ｍｍである、請求項４に記載の釣竿。
【請求項６】
前記第１竿体の穂先側端部の面取りテーパの軸方向の傾斜角は軸方向に対して４５度以下である、請求項４に記載の釣竿。
【請求項７】
前記穂先側端部に面取りテーパが施された第１竿体の穂先側端縁の厚さは、面取りテーパ部分の竿元側端部の厚さの１／２である、請求項４に記載の釣竿。
【発明の詳細な説明】
【技術分野】  本発明は、複数の竿体を連結して一本の釣竿となっている釣竿に関する。
【背景技術】  近時の多くの釣竿は、複数の竿体を連結して一本の長い釣竿となっている。
例えば、振出形式と呼ばれる連結手法を採用した釣竿は、穂先側端部内周を嵌合雌部とする大径竿体と、竿元側端部外周を嵌合雄部として大径竿体の穂先側に連結される小径竿体とを有している。この振出形式の釣竿では、大径竿体内に穂先側から小径竿体が挿入され出し入れ自在となっている。そして、釣りを行う際には各竿体を順次穂先側に引き出して嵌合固定して一本の竿体として用いる。一方、収納時には穂先側の竿体を順次竿元側の竿体内に収納してコンパクトな状態とする。
また、並継形式と呼ばれる連結手法を採用した釣竿も、上記のケースと同様に大径竿体と小径竿体とを連結するものである。この手法では、小径竿体は大径竿体の内部に出し入れ自在となっていない。個々の竿体を使用時に順次連結して一本の釣竿とする。その他、印籠継ぎと呼ばれる連結手法もある。
このように様々な手法をもって複数の竿体が連結されて一本の釣竿が構成されているが、複数の竿体を連結する釣竿において生じる問題に、釣竿の曲がりが連続的なものになりにくいということがある。
即ち、複数の竿体を連結して一本の釣竿とする場合、竿体同士の連結部分では２つの竿体が重なり合うことになる。そして、竿体が２重に重なる部分は他の部分に比較して曲がり難くなる。釣竿は、仕掛けに魚が係った際に、手元側の竿体から穂先側の竿体まで連続的にきれいな弧を描くように曲がるのが好ましいものとされ、魚を釣り上げる際の操作性も良好であるとされる。
従って、竿体同士の連結部分での曲がりを良好にして、釣竿全体として連続的にきれいな弧を描けるように様々な工夫が提案されてきた。例えば、竿体同士を連結する連結部分の素材の弾性を調整し、若しくは、連結部分を構成する繊維強化樹脂素材の繊維の配向方向を調整する等の工夫が提案されてきた（日本国特許：特開２０００−２３６７８２号公報など参照）。
このように、竿体の素材の特性などに関して様々な工夫が提案されてきた。しかし、必ずしも釣人の要請に十分に応じ得るだけの釣竿は未だ提供されておらず、さらなる改良が求められている。
本発明の課題は、複数の竿体を連結してなる釣竿において、全体の曲がりとして連続的なきれいな弧を描き得るような釣竿を提供することにある。
【発明の開示】
本発明者等は、竿体を構成する素材自体の弾性・剛性等の特性を調整することとは別の観点から、釣竿の連続的な曲がりを確保する手法をも鋭利研究し、竿体の連結部分の形状・塗装手法などを設定することで、外観上・視覚的にも釣竿が連続的なきれいな弧を描き得ることを知見するに至った。本発明は係る知見に基づくものである。
本発明の釣竿は、複数の竿体を連結してなる釣竿であって、先細りの筒状体であり、穂先側端部内周面に嵌合雌部を有する第１竿体と、第１竿体の穂先側に連結された先細りの筒状体であり、竿元側端部外周面に他の部分より一段大径化しており且つ嵌合雌部のテーパに整合するテーパ面となっている嵌合雄部を有する第２竿体とを備えている。この第１竿体の穂先側外周面には、穂先側端縁より嵌合雌部の領域を超えない範囲において、穂先側ほど外径が小径化する面取りテーパが施されており、第１竿体の穂先側外周面には、穂先側端縁より少なくとも嵌合雌部の領域を超えて竿元側に至るまでの領域に塗布され、且つ面取りテーパ部分の竿元側の領域においては軸方向において外径が変化しないように塗布されている塗膜層が形成されている。また、第２竿体の嵌合雄部は、第１竿体の穂先側に第２竿体が延びている状態にあっても第１竿体の内部に完全に収納されている。
この釣竿では、第１竿体と第２竿体とを連結する際には、第１竿体の嵌合雌部に第２竿体の嵌合雄部が嵌着する。第１竿体と第２竿体とが振出形式である場合には、第２竿体を第１竿体の内部から引き出して相互に連結する。第１竿体と第２竿体とが並継形式である場合には、第２竿体の嵌合雄部を第１竿体の穂先側から挿入して相互に連結する。
ここでは、嵌合雄部と嵌合雌部とのテーパを統一化し、第１竿体と第２竿体とが連続的に周面で接触している。次いで、第１竿体の穂先側外周面の穂先側ほど外径が小径化する面取りテーパが、第１竿体の穂先側と第２竿体の竿元側との段差を可及的に抑える。さらに、第１竿体の穂先側外周面の塗膜層が視覚的に竿体の曲がりの連続性を演出する。この塗膜層は可及的に軸方向に長く形成すると視覚効果がより大きくなる。少なくとも、穂先側端縁より少なくとも嵌合雌部の領域を超えて竿元側に至るまでの領域に於いては塗膜層を形成する。また、この第２竿体の嵌合雄部は、第１竿体の穂先側に第２竿体が延びている状態にあっても第１竿体の内部に完全に収納されており、嵌合雄部の周面が外観上顕れない。
この第２竿体の嵌合雄部は周方向に強化繊維が配向された繊維強化樹脂から形成するのが好ましい。この周方向とは、竿体の軸方向に直交する方向若しくは多少軸方向に傾いた螺旋方向を含む。軸方向に配向される強化繊維は軸方向の曲げ剛性に大きな影響を与えるので、上述の周方向に強化繊維を配向する。
さらに、第２竿体が第１竿体の穂先側に延びている状態において、第２竿体の嵌合雄部の穂先側端縁と第１竿体の穂先側端縁との距離が０〜５ｍｍに設定するのが好ましい。この距離を短く設定することで、竿体の曲がりがよりきれいに見える。
また、第１竿体の穂先側端部の面取りテーパの軸方向の傾斜角は軸方向に対して４５度以下とするのが好ましい。係る角度が大きく急傾斜のテーパとすると、第１竿体と第２竿体との連結部分における曲がりが不自然に見える。なお、穂先側端部に面取りテーパが施された第１竿体の穂先側端縁の厚さは、面取りテーパ部分の竿元側端部の厚さの１／２となるようにするのが好ましい。
（図面の説明）
第１図：本発明の第１実施形態を採用した中通し竿の全体図。
第２図：  第１図の中通し竿において、中竿３と元上竿２との連結部分を示した図。
第３図：第２図の元上竿２の穂先側端部の拡大図。
第４図：中竿３の嵌合雄部３ａ付近を示した図。
第５図：元上竿２の嵌合雌部２ａ付近の変形例
第６図：実施例１の＃４と＃５との連結部分の写真（傾斜角３０度）。
第７図：実施例１の＃４と＃５との連結部分の写真（傾斜角４０度）。
第８図：比較例１の＃４と＃５との連結部分の写真（傾斜角３０度）。
第９図：比較例１の＃４と＃５との連結部分の写真（傾斜角４０度）。
【発明を実施するための最良の形態】    ［第１実施形態］
本発明の第１実施形態につき、図面を参照しつつ説明する。
この釣竿は、図１に示すように、元竿１と、元竿１の穂先側に順次連結される、元上竿２，中竿３，穂先竿４とを有している。これら各竿体は、それぞれ炭素繊維やガラス繊維などの強化繊維にエポキシ樹脂などの合成樹脂を含浸させたプリプレグ素材からなる先細り筒状部材である。後に詳しく説明するように、これらの各竿体はいわゆる振出形式で連結されており、穂先側に位置する竿体は順次竿元側に位置する竿体内部に収納可能である。
元竿１は、全体として竿元側ほど大径化するようなテーパが施された筒状体である。竿元側周面にリールを脱着自在に装着可能なリールシート５を有し、竿元側端部には尻栓９が脱着自在に装着されている。また、元竿１の穂先側の外周面には、リールからの釣糸を竿体内に導入するための釣糸導入口６が設けられ、釣糸導入口６付近にはリールからの釣糸を導入口内に案内するための導入ガイド７が装着されている。
元上竿２〜穂先竿４も先細りテーパが施された筒状体であり、内部は釣糸が挿通するための釣糸通路となっている。必要に応じて、釣糸通路となる各竿体の内周面には釣糸と内周面との接触面積を低減するための釣糸支持突起を形成してもよい。なお、最も穂先側に位置する穂先竿４の穂先側端部にはトップガイド８が装着されている。そして、釣糸はトップガイド８から外部に導出されることになる。
続いて、各竿体同士の連結部分について、元上竿２と中竿３とを例にして説明する。図２に示すように、元上竿２と中竿３とは、中竿３が元上竿２の内部に穂先側から出し入れ自在に連結されている。
元上竿２は、その穂先側端部の軸方向の一定の範囲において、その内周面が嵌合雌部２ａとなっている。嵌合雌部２ａは、他の部分に比較してテーパ傾斜が緩やかに穂先側ほど小径化している。もっとも、嵌合雌部２ａのテーパはこのようなケースに限定されるものではなく、他の部分と均一なテーパ傾斜としても良い。若しくは、逆に、この嵌合雌部２ａを他の部分に比較してテーパ傾斜が急になるように穂先側ほど小径化させてもよい。さらに、図５に示すように、元上竿２は穂先側に向かって一定のテーパで先細りとなり、穂先側において一度急テーパとなり、その後、再び緩やかなテーパとなって穂先側端に至るものとする。そして、この再び緩やかなテーパとなった部分を嵌合雌部２ａとしてもよい。
図２及び図３に詳しく示すように、元上竿２の穂先側外周面には、穂先側端縁から竿元側に向かって、嵌合雌部２ａの領域を超えない範囲において、穂先側ほど外径が小径化する面取りテーパが施された面取り部分１０が形成されている。この面取り部分１０の形成にあっては、好ましくは、この面取り部分１０を有する元上竿２の穂先側端縁の厚さを、面取り部分１０の竿元側端部の厚さの１／２となるように設定する（図３の１／２Ａ及びＡを参照）。穂先側端部の厚さを竿元側端部の厚さの１／２にすることで、元上竿２の素材自体の強度を担保しつつ、元上竿２と中竿３との周面の段差を外観上可及的に抑えられる。さらにまた、この面取り部分１０を元上竿２の穂先側端部に形成する際には、軸方向の傾斜角α（図３参照）は軸方向に対して４５度以下となるように設定するのが好ましい。傾斜角αをなるべく小さく設定することで、曲がりが自然に見えるようになる。さらに、面取り部分１０について上述の厚さの設定をすると共に傾斜角αを４５度以下に設定することを併用するがより好ましい。
また、元上竿２の穂先側外周面には、穂先側端縁より少なくとも嵌合雌部２ａの領域を超えて竿元側に至るまでの領域に塗料を塗布して形成した塗膜層１５が形成されている。塗膜層１５は、例えば、エポキシ樹脂等に所定の塗料等を混入させた塗料からなる。塗膜層１５は元上竿２の穂先側端部より可及的に竿元側に長く塗布するのがよい。好ましくは、５〜１５０ｍｍ程度の軸方向長さで塗膜層１５を形成する。
この塗膜層１５は、元上竿２の穂先側端縁から形成されており、元上竿２の面取り部分１０領域内に於いては、面取り部分１０の径変化と同様に穂先側ほど径が小径化するように塗布されている。一方、面取り部分１０の竿元側の領域においては軸方向において外径が変化しないように塗布されている。即ち、元上竿２は穂先側ほど小径化するようなテーパが施されているが、塗膜層１５は、面取り部分１０の竿元側の領域においては竿元側ほど徐々に厚さが薄くなるように塗布され、軸方向において外径が均一になるように塗布されている。
一方、中竿３は元上竿２の穂先側に連結された先細りの筒状体である。中竿３は、竿元側端部外周面に他の部分より一段大径化した嵌合雄部３ａを有する。中竿３は上述のように炭素繊維強化樹脂等から製造される。そして、図４に示すように、詳しくは、中竿３の軸方向に強化繊維を配向した軸方向プリプレグ層と、軸方向プリプレグ層の周面に積層された中竿３の周方向に強化繊維を配向した周方向プリプレグ層とからなる。この周方向プリプレグ層によって嵌合雄部３ａが形成されている。具体的には、芯材の周面にシート状に加工した軸方向プリプレグを巻回し、その竿元側の周面にシート状若しくはテープ状に加工した周方向プリプレグを巻回する。その後、これらを焼成して中竿３を製造する。周方向プリプレグとしてテープ状の素材を螺旋状に巻回した場合、繊維方向は厳密には中竿３の周方向に直交する方向からやや傾斜することになる。なお、この嵌合雄部３ａは嵌合雌部２ａのテーパに整合するテーパ面となっている。即ち、元上竿２の嵌合雌部２ａのテーパと中竿３の嵌合雄部３ａの外径は一致するように設定され、嵌合雌部２ａと嵌合雄部３ａとが、軸方向にも周方向にも連続的に全周面で接触することが予定されている。
また、図２に示すように、元上竿２の穂先側に中竿を引き出した状態にあっても、中竿３の嵌合雄部３ａは元上竿２の内部に完全に収納されている。即ち、中竿３を元上竿２の穂先側に引き出した状態においても、中竿３の嵌合雄部３ａの穂先側端部は元上竿２の穂先側端縁よりその内部にΔＸだけ内部に位置する。このようにすることで、嵌合雄部３ａが不当に外観上顕れず、ゴミなどが入り難い。また、このΔＸはなるべく小さく設定するのが、釣竿の曲がりを連続的に見えるようにするためには好ましい。特に、ΔＸは５ｍｍ程度以下に設定するのが好ましい。
なお、ここでは、元上竿２と中竿３とを例にして各竿体の連結部分に関する構造を説明しているが、その他の竿体についてもそれぞれ同様の構造を採用する。
このような釣竿では、各竿体が順次穂先側に引き出され、穂先竿４，中竿３，元上竿２，元竿１において、竿元側に位置する竿体の嵌合雌部に穂先側に隣接する竿体の嵌合雄部が嵌着する。例えば、中竿３を元上竿２の内部から穂先側に引き出して相互に連結する。この中竿３と元上竿２とにおいては、▲１▼嵌合雄部３ａと嵌合雌部２ａとのテーパを統一化されており、また、▲２▼元上竿２の穂先側外周面の穂先側ほど外径が小径化する面取り部分１０が形成されており、▲３▼元上竿２の穂先側外周面の塗膜層１５が設けられていることで、仕掛けに魚が係って釣竿が大きく曲がる際に、竿体の連結部でも他の部分と同様に連続的に湾曲し、また、視覚的にも竿体の曲がりの連続性が演出される。
［他の実施形態］
（ａ）複数の竿体を連結して一本の釣竿としている場合、特に、竿体同士の連結部分での連続的な曲がりが損なわれるのは、竿元側に位置する太径の竿体である。そこで、上記竿体の連結部分に関する構造は、特に、最も竿元側に位置する元竿と元上竿とのみに用いることもできる。
（ｂ）上記実施形態では、振出形式の釣竿において説明しているが、並継形式の釣竿においても本件発明を適用可能である。また、中通し竿のみではなく、その他の延べ竿などにおいて適用することも当然に可能である。
【実施例】  以下、実施例により本発明を説明する。
【実施例１】  元竿（＃８）から穂先竿（＃１）までの８本の竿体を連結した釣竿を作成した。この釣竿の中で、穂先竿１（＃１）から４番目に位置する竿体（＃４）とその竿元側に連結される竿体（＃５）とに関して、以下のような条件で連結部分を形成した（各数値の意義については上記実施形態を参照）。
2004112474.tif 000003
2004112474.tif 000004
このような釣竿を、水平方向より３０度方向で穂先側を傾斜させて、元竿（＃８）の竿元側端部を固定し、穂先竿（＃１）の穂先側端部に２００ｇの錘を装着し、釣竿の湾曲状態を観察した。＃４と＃５との連結部分を図６に示す。
また、同じ釣竿において、水平方向より４０度方向で穂先竿を傾斜させて、穂先竿（＃１）の竿元側端部を固定し、元竿（＃８）の穂先側端部に２００ｇの錘を装着し、釣竿の湾曲状態を観察した。＃４と＃５との連結部分を図７に示す。
［比較例１］
上記実施例の竿体（＃４）（＃５）に代えて、以下のような条件で連結部分を形成した。
2004112474.tif 000005
2004112474.tif 000006
2004112474.tif 000007
このような釣竿を、水平方向より３０度方向で穂先側を傾斜させて、元竿（＃８）の竿元側端部を固定し、穂先竿（＃１）の穂先側端部に２００ｇの錘を装着し、釣竿の湾曲状態を観察した。＃４と＃５との連結部分を図８に示す。
さらに、このような釣竿を、水平方向より４０度方向で穂先側を傾斜させて、元竿（＃８）の竿元側端部を固定し、穂先竿（＃１）の穂先側端部に２００ｇの錘を装着し、釣竿の湾曲状態を観察した。＃４と＃５との連結部分を図９に示す。
このように、図６と図８と、若しくは、図７と図９とを比較すると、図６・図７に示す実施例の方が竿体同士の曲がりがスムーズになっていることがわかる。
【産業上の利用可能性】  本発明によれば、連続的なきれいな弧を描き得るような釣竿を提供することができる。
【図１】
2004112474.tif 000008
【図２】
2004112474.tif 000009
【図３】
2004112474.tif 000010
【図４】
2004112474.tif 000011
【図５】
2004112474.tif 000012
【図６】
2004112474.tif 000013
【図７】
2004112474.tif 000014
【図８】
2004112474.tif 000015
【図９】
2004112474.tif 000016
【国際調査報告】
2004112474.tif 000017
2004112474.tif 000018
2004112474.tif 000019
2004112474.tif 000020